(57)【要約】【課題】ロール紙の装着を容易に行うことができるロール紙給紙装置を提供する。【解決手段】ロール紙給紙部１は、給紙ローラ４と、フランジホルダ５と、フランジ押圧部８と、ロール紙押圧レバー７と、これらを内部に備える筐体２と、該筐体の上方に配置されたカバー３とからなる。フランジホルダ５は上面に開口の広い凹部５０を形成しており、この凹部５０にロール紙１００を軸支したフランジ１０１の軸１０２が配置される。フランジ押圧部８はカバー３に備えられており、カバー３が開いている状態で回動部材２１、ベース部材８２、バネ８１により、カバー３の回動中心方向に移動している。これにより、ロール紙１００を軸支するフランジ１０１をフランジホルダ５へ容易にセットすることができる。【選択図】  図２
2005022120.tif 000002
【特許請求の範囲】
【請求項１】
ロール紙を軸支するロール紙軸支手段と、該ロール紙軸支手段を所定位置に保持してロール紙を給紙ローラに当接させて給紙するロール紙給紙手段と、該ロール紙給紙手段から搬出されるロール紙を加熱して画像形成する画像形成手段と、該画像形成手段により画像形成されたロール紙に光を照射することにより前記画像を定着させる画像定着手段とを備えたフォトプリンタにおいて、
前記ロール紙給紙手段は、前記ロール紙軸支手段の両端部をそれぞれ下方から保持し、少なくとも前記ロール紙軸支手段の移動範囲を含む長さで上面開放の凹部を備えた保持手段と、前記ロール紙軸支手段を前記保持手段に対して上方および前記給紙ローラの反対の側方から押圧させる、前記ロール紙給紙手段のカバーに設置された押圧手段とを備えたことと特徴とするフォトプリンタ。
【請求項２】
ロール紙を軸支するロール紙軸支手段を備え、該ロール紙軸支手段を所定位置に保持してロール紙を給紙ローラに当接させて給紙するロール紙給紙装置において、
前記ロール紙軸支手段の両端部をそれぞれ下方から保持し、少なくとも前記ロール紙軸支手段の移動範囲を含む長さで上面開放の凹部を備えた保持手段と、前記ロール紙軸支手段を前記保持手段に対して押圧させる押圧手段とを備えたことを特徴とするロール紙給紙装置。
【請求項３】
前記押圧手段は、前記ロール紙軸支手段を上方および前記給紙ローラの反対の側方から押圧する請求項２に記載のロール紙給紙装置。
【請求項４】
前記押圧手段は、前記ロール紙を上方から覆うカバーに設置されている請求項２または請求項３に記載のロール紙給紙装置。
【発明の詳細な説明】
【０００１】
【発明の属する技術分野】
この発明は、ロール紙へ加熱により画像を形成した後、所定波長の光を照射して画像を定着させるフォトプリンタ、特に該フォトプリンタのロール紙給紙部に関するものである。
【０００２】
【従来の技術】
ロール紙を用いたフォトプリンタは、ロール紙を保持して給紙するロール紙給紙部と、該ロール紙給紙部から給紙されたロール紙を所定温度で加熱することで画像形成する画像形成部と、画像形成されたロール紙に紫外線光を照射して画像定着する画像定着部と、画像定着したロール紙を所定寸法に切断して１枚の写真に仕上げる切断部とを備えている。このようなフォトプリンタでは、写真を作成するほどロール紙が使用されてロールの径が小さくなっていく。このため、従来のフォトプリンタのロール紙給紙部は、図３に示すような構造となっている。
図３は従来のロール紙給紙部の構造を表す概要図である。
図３に示すように、従来のロール紙給紙部１は、給紙ローラ４と、フランジホルダ５と、フランジ押圧レバー６と、ロール紙押圧レバー７と、これらを内部に備える筐体２と、該筐体２の上方に配置されたカバー３とからなる。カバー３は回動により開閉自在な構造である。
【０００３】
フランジホルダ５にはＬ字形状の溝５１が設けられており、ロール紙１００を軸支したフランジ１０１の軸１０２をＬ字形状の溝５１に嵌挿することで、ロール紙１００を軸支するフランジ１０１を保持する。軸１０２はフランジ押圧レバー６により給紙ローラ４側に押圧されることで、フランジ１０１に給紙ローラ４側への力が加えられ、ロール紙１００が給紙ローラ４に当接する。また、軸１０２はフランジホルダ５のＬ字形状の溝５１により形成される突起部５２により、フランジ押圧レバー６から押圧を受けてもこの突起部５２に当接し、保持位置から浮き上がることなく所定位置に保持される。
【０００４】
このようなロール紙を所定位置に保持するロール紙給紙部を備えたフォトプリンタは、他にも複数提案されている（例えば、特許文献１、特許文献２参照。）。
【０００５】
【特許文献１】
特開平１１−４３２４５号公報
【特許文献２】
特開昭５８−１３９９５０号公報
【０００６】
【発明が解決しようとする課題】
ところが、図３に示すような従来のフォトプリンタでは、ロール紙１００をロール紙給紙部１に装着する場合、すなわち、ロール紙１００を軸支したフランジ１０１をフランジホルダ５に装着する場合、フランジ１０１の軸１０２をＬ字形状の溝５１に挿入する開口部が狭いため、軸１０２をＬ字形状の溝５１に挿入しにくい。また、フランジ押圧レバー６はバネにより常時給紙ローラ側に付勢力が与えられているので、フランジ１０１が装着されていない場合、Ｌ字形状の溝５１の位置まで移動している。このため、ユーザは一方の手でフランジ押圧レバー６を押して、Ｌ字形状の溝５１の位置から離間した位置（筐体２の内面付近）まで移動させて保持するとともに、他方の手でフランジ１０１をＬ字形状の溝５１に装着しなければならない。これのため、ロール紙の装着はユーザにとって非常に煩わしい作業であった。
【０００７】
この発明の目的は、ロール紙の装着を容易に行うことができるフォトプリンタを提供することにある。
【０００８】
【課題を解決するための手段】
この発明は、ロール紙を軸支するロール紙軸支手段を備え、該ロール紙軸支手段を所定位置に保持してロール紙を給紙ローラに当接させて給紙するロール紙給紙装置において、ロール紙軸支手段の両端部をそれぞれ下方から保持し、少なくとも前記ロール紙軸支手段の移動範囲を含む長さで、上面開放の凹部を備えた保持手段と、ロール紙軸支手段を保持手段に対して押圧させる押圧手段とを備えたことを特徴としている。
【０００９】
この構成では、保持手段に備えられた、少なくとも前記ロール紙軸支手段の移動範囲を含む長さで上面開放の凹部にロール紙軸支手段を配置し、この凹部に配置されたロール紙軸支手段を押圧手段で押圧してロール紙を給紙ローラに当接させて保持する。ロール紙軸支手段は、凹部内に配置されているだけなのでこの凹部内の範囲で水平方向に移動可能である。そして、押圧手段はロール紙軸支手段を押圧続けることで、ロール紙軸支手段を移動可能に固定できる。
【００１０】
また、この発明は、押圧手段でロール紙軸支手段を上方および給紙ローラの反対の側方から押圧することを特徴としている。
【００１１】
この構成では、押圧手段によりロール紙軸支手段を上方から押圧するので、保持手段は、凹部の底での押圧されたロール紙軸支手段を受ける構造となり、ロール紙軸支手段の移動方向を規制する従来構造の突起部のような部材が必要なくなる。また、給紙ローラと反対の側方から押圧するので、ロールの径が小さくなっても、ロール紙軸支手段が給紙ローラ方向に移動してロール紙を給紙ローラに当接し続けられる。
【００１２】
また、この発明は、押圧手段をロール紙を上方から覆うカバーに設置することを特徴としている。
【００１３】
この構成では、ロール紙の上方に配置されたカバーに押圧手段が設置されているので、ロール紙軸支手段を上方から押圧する機構が容易となり、簡素な構造で押圧手段を形成できる。また、ロール紙をロール紙給紙装置に装着する際に、押圧手段がカバーとともに保持手段から離間するので装着が容易となる。
【００１４】
【発明の実施の形態】
本実施形態に係るロール紙給紙装置を備えたフォトプリンタについて図を参照して説明する。
図１、図２は本実施形態に係るフォトプリンタのロール紙給紙部（本発明のロール紙給紙装置に対応する。）の構成を示す概要図であり、図１はカバーが閉じた状態、図２はカバーが開いた状態を示す。
【００１５】
図１、図２に示すように、本実施形態に係るロール紙給紙部１は、給紙ローラ４と、本発明の保持手段に対応するフランジホルダ５と、本発明の押圧手段に対応するフランジ押圧部８と、ロール紙押圧レバー７と、これらを内部に備える筐体２と、該筐体の上方に配置されたカバー３とからなる。
【００１６】
ロール紙１００は、その幅方向に両端部に接する円盤状の側面部とロール紙１００のコアを挿通する軸１０２とで形成された、本発明のロール紙軸支手段に対応するフランジ１０１により軸支されている。
【００１７】
フランジホルダ５は、フランジ１０１の両端から突出する軸１０２を受ける位置にそれぞれ配置されており、その上端にフランジ１０１の軸１０２が移動する範囲を少なくとも含む長さで所定深さの上面開放凹部５０を設けている。フランジ１０１の軸１０２はこの凹部５０内に配置される。
【００１８】
カバー３にはフランジ押圧部材支持部３１が形成されており、カバー３を閉じた状態で、凹部５０の底面と略並行な方向に軸方向を有する貫通溝３２がこのフランジ押圧部材支持部３１に形成されている。
【００１９】
フランジ押圧部８は、フランジ押圧部材８０と、このフランジ押圧部材８０に付勢力を与えるバネ８１と、ベース部材８２ととからなる。そして、カバー３が回動して開閉すると、筐体２に備え付けられた回動部材２１がこれに応じて回動する。回動部材２１はベース部材８２に接続しており、ベース部材８２は回動部材２１の回動に従い、貫通溝３２に沿ってカバー３の回動中心側に移動する。ベース部材８２が移動することで、これに接続するバネ８１およびフランジ押圧部材８０も貫通溝３２に沿って移動する。これにより、カバー３が開いた状態では、フランジ押圧部材８０はカバー３の回動中心に近い位置に保持される。一方、カバー３が閉じた状態では、前記カバー３が開いた状態とは反対に、フランジ押圧部材８０はカバー３の回動中心から離れる方向に移動する。フランジ押圧部材８０が移動すると、所定位置でフランジ１０１の軸１０２に当接する。フランジ押圧部材８０が軸１０２に当接すると、フランジ押圧部材８０は軸１０２から押圧力を受けバネ８１を押圧する。一方ベース部材８２は回動部材２１を介して固定されているので、バネ８１に縮む方向の力が加わり、この反作用としてフランジ押圧部材８０を軸１０２方向に移動させる付勢力が与えられる。この付勢力により、フランジ押圧部材８０は軸１０２を上方および側方から押圧し、軸１０２が備えられたフランジ１０１は図１に示す矢印方向に力を受けて移動し、ロール紙１００が給紙ローラ４に当接する。
【００２０】
次に、前述の構成のフォトプリンタにおいて、ロール紙１００をセットして印刷する手順を示す。
【００２１】
ユーザはロール紙１００をフランジ１０１にセットし、ロール紙給紙部１のカバー３を開ける。そして、軸１０２がフランジホルダ５の凹部５０に配置されるように、ロール紙１００を軸支したフランジ１０１をロール紙給紙部１内にセットする。このように、フランジ１０１を配置するフランジホルダ５の形状が開口の広い凹部５０を備えることで、ユーザは容易にフランジ１０１をセットすることができる。
【００２２】
この状態で、フランジ押圧部８は図２に示すようにカバー３の回動に従って、フランジホルダ５から離間しているので、従来のようにフランジ押圧部８を片手で移動させながらフランジ１０１をセットする必要がなくなり、ユーザはさらに容易にフランジ１０１をセットすることができる。
【００２３】
また、フランジ１０１をセットすると、ロール紙押圧レバー７がロール紙１００に当接するので、ユーザがロール紙１００から手を離しても、ロール紙１００が緩んでしまうことはない。ロール紙押圧レバー７はバネ等によりロール紙１００方向に常時付勢力を与える構造であり、ロール紙１００を使用し続けて径が小さくなっても常時ロール紙１００を押圧し続ける。
【００２４】
次に、ユーザがカバー３を閉じると、これに応じ、フランジ押圧部材８０が移動して、フランジ１０１の軸１０２に上方および側方から当接する。この時、前述のようにフランジ押圧部材８０には、バネ８１により付勢力が与えられているので、フランジ押圧部材８０はフランジ１０１の軸１０２を上方および側方から押圧する。これにより、フランジ１０１は給紙ローラ４側に移動し、ロール紙１００が給紙ローラ４に当接する。このように給紙ローラ４にロール紙１００が当接することで、給紙ローラ４を回転させればロール紙１００を確実に給紙することができる。
【００２５】
給紙されたロール紙は、画像形成部（図示せず）で所定パターンに加熱されることにより画像形成され、画像定着部（図示せず）で紫外線光を照射されて画像定着される。画像定着されたロール紙は所定寸法でカットされて、１枚の写真として搬出される。
【００２６】
以上のような構成にフォトプリンタのロール紙給紙部を形成することで、ユーザはロール紙を軸支したフランジを容易にロール紙給紙部にセットすることができる。
【００２７】
【発明の効果】
この発明によれば、ロール紙を軸支するフランジを保持するフランジホルダに上端面に開口の広い凹部を設け、該凹部にフランジを配置することで、容易にフランジ、すなわち、ロール紙を装着することができる。
【００２８】
また、この発明によれば、フランジ押圧部をカバーに備え付けることで、フランジを装着するためにカバーを開けた時点で、カバーの回動に従いフランジ押圧部がフランジホルダから離間した位置にあるので、フランジをフランジホルダにセットする動作を阻害することがない。すなわち、さらに容易にロール紙を装着することができる。
【図面の簡単な説明】
【図１】本実施形態に係るフォトプリンタのロール紙給紙部の構成を示す概要図（カバーが閉じた状態）
【図２】本実施形態に係るフォトプリンタのロール紙給紙部の構成を示す概要図（カバーが開いた状態）
【図３】従来のフォトプリンタのロール紙給紙部の構成を示す概要図
【符号の説明】
１−ロール紙給紙部
２−筐体
２１−回動部材
３−カバー
３１−フランジ押圧部材支持部
３２−貫通孔
４−給紙ローラ
５−フランジホルダ
５０−凹部
５１−Ｌ字形状の溝
５２−突起部
６−フランジ押圧レバー
７−ロール紙押圧レバー
８−フランジ押圧部
８０−フランジ押圧部材
８１−バネ
８２−ベース部材
１００−ロール紙
１０１−フランジ
１０２−フランジ１０１の軸
【図１】
2005022120.tif 000003
【図２】
2005022120.tif 000004
【図３】
2005022120.tif 000005